(57)【要約】【目的】  従来のかつらにはない髪形を自在に創出できるかつらを提出する。【構成】  かつらベース１の表面にほぼ合同な２等辺三角形の単位区画３ｉ−ｊを設ける。線ａｂ，ｃｄ，ｅｆ・・・は横方向にベース１を取り巻く線である。この線上に底辺をつらね、且つ、底辺をつらねた線に隣接するほぼ平行な線上に２等辺三角形の頂点を置く。単位区画３ｉ−ｊの２等辺三角形よりわずかに小さい２等辺三角形の基部に毛６Ｌ，６Ｓを植毛した毛束４を多数用意する。この毛束４をベース１の単位区画３ｉ−ｊに合せて配設し、接着剤等で基部をベース１に固定する。毛束４を選択して、ベース１の単位区画３ｉ−ｊに選択的に配設することにより多様な髪型が得られる。【選択図】          図６
2006265741.tif 000002
【特許請求の範囲】
【請求項１】
ベース上に毛束を植設して製作されるかつらにおいて、
頭部に密接される帽子状であって表面に夫々の底辺が連なって、該表面を取り巻くように線を並列して形成し、並列する線の互に隣り合う線の一方の線上に底辺を置いて構成するほぼ２等辺三角形の２等辺側の頂点は他方の線上と一致するように、２等辺側の頂点が互にくい違い反対方向を向くように配列したほぼ合同となるほぼ２等辺三角形の単位区画群を配置した図形を設けたベースと、
ベースに設けた各単位区画の２等辺三角形とほぼ等しい２等辺三角形の薄片の基部に植毛した毛束と、
を有し、各毛束はその基部を選択的にベースの区画に一致させて配設固定されていることを特徴とするかつら。
【請求項２】
毛束を植設するかつらのベースにおいて、
頭部に密接させる帽子状であって、夫々の底辺が連なって、該表面を取り巻くように線を並列して形成し、並列する線の互に隣り合う線の一方の線上に底辺を置いて構成するほぼ２等辺三角形の２等辺側の頂点は他方の線上と一致するように、２等辺側の頂点が互にくい違い反対方向を向くように配列したほぼ合同となるほぼ２等辺三角形の単位区画群を配置した図形を有することを特徴とするベース。
【請求項３】
かつらのベース上に植設する毛束において、
２等辺三角形の薄片の基部と、
基部に植毛した毛と、
を有し、頭部に密接させる帽子状であって、表面に夫々の底辺が連なって、該表面を取り巻くように線を並列して形成し、並列する線の互に隣り合う線の一方の線上に底辺を置いて構成するほぼ２等辺三角形の２等辺側の頂点は他方の線上と一致するように、２等辺側の頂点が互にくい違い反対方向を向くように配列したほぼ合同となるほぼ２等辺三角形の単位区画群を配置した図形を設けたベースの単位区画に基部を一致させて基部をベースに固定することを特徴とする毛束。
【請求項４】
ほぼ２等辺三角形はほぼ正三角形であって基部に２等辺側頂点として用いる頂点を示す表示がされていることを特徴とする請求項３に記載の毛束。
【発明の詳細な説明】
【技術分野】
【０００１】
本発明はかつら及びかつらベース及び毛束に関する。
【背景技術】
【０００２】
かつらベースに毛束を取り付けてかつらとしている。かつらは演出できるヘアスタイルがファッションとしてすぐれていなければならず、また多様なヘアスタイルが可能であることを要請される。一方、かつらは数万の毛をベースに設けるため、その構成が製作に適するものでなければならない。
【０００３】
このため、かつらについて多種多様な提案がなされている。
【０００４】
現在のかつらメーカーでは、人間の地肌のように、ほぼ均等に髪（カミ）の生えた（長さもほぼ同じ）状態から、専門美容師が、一体々々長さをカットし、すてい（シャギー）スタイルを作っている。かつらと言っても、人間と同じ位のカミの量があるから、一本々々始めからスタイルを決めて植えこむ事が、完全には不可能なので、そのような方法になっている。
【０００５】
しかし、かつらのカットの場合、切りすぎても、すきすぎても、毛が生えてこないので、失敗は許されず、ベテラン技術者でも、全体かつらのカットとなると、かなりの時間と、技術を要し、また、人間の手作業であるから、一体々々の仕上がりも、出来、不出来があり、本当に良い同じスタイルのかつらを大量生産する事は不可能である。
【０００６】
従って、それ故、現在、作成されている全体かつら（ウィッグ）は、見た目に、すぐにそれとわかるような物や、おもたい感じだったり、明らかに、かつらとわかりやすく、今、若い女性が、やっているシャギースタイルと比べると、明らかに差がある。
【０００７】
頭の上の方にだけ、のせるトップピース（部分かつら，オーダーメイド）で４０万円前後するのもそれだけの手間ひまが、かかっての事でロングスタイルではもっと大変である。
【０００８】
現在の美容界では、ロング、セミロング、ミディアムの長さのシャギースタイル（かろやかな、すいてあるスタイル）が主流で、これからも変わる事はないと思われる。シャギースタイルは日本人の硬く多いかみに適している。そのスタイルのカットのポイントは，いかに根本のカミの多さをとり、（まびいて、すいて）空気感（かろやかさ）をだし、なおかつ毛先の重さを残し（毛先をペラペラにすきすぎず）、毛先の規則性のあるバランスのとれたバラつき感によって作られている。
【０００９】
そう言ったスタイルは、例えば頭の中に均等にかつ規則的に、ハゲがあったとすると、自然と出来上がる。が、女性の頭を部分々々そる訳にはいかないのです。
【００１０】
そこで、美容師が、カットしていて、いい感じのスタイルに仕上がっても、後に残す事は出来ないということがある。
【特許文献１】なし    昭和４６年から現在までの特許公開公報、実用新案公開公報、実用新案公報等をＦターム検索したが該当する出願はなかった。
【発明の開示】
【発明が解決しようとする課題】
【００１１】
本発明は一束一束の毛束の姿勢を選択的にベースに取り付け可能とすることにより、人間の自然毛によるヘアースタイル以上の美観の得られるかつら及びかつらベース及び毛束を提供することを目的とする。
【課題を解決するための手段】
【００１２】
本出願に係る第１の発明はベース上に毛束を植設して製作されるかつらにおいて、頭部に密接される帽子状であって表面に夫々の底辺が連なって、該表面を取り巻くように線を並列して形成し、並列する線の互に隣り合う線の一方の線上に底辺を置いて構成するほぼ２等辺三角形の２等辺側の頂点は他方の線上と一致するように、２等辺側の頂点が互にくい違い反対方向を向くように配列したほぼ合同となるほぼ２等辺三角形の単位区画群を配置した図形を設けたベースと、ベースに設けた各単位区画の２等辺三角形とほぼ等しい２等辺三角形の薄片の基部に植毛した毛束と、を有し、各毛束はその基部を選択的にベースの区画に一致させて配設固定されていることを特徴とするかつらである。
【００１３】
本出願に係る第２の発明は毛束を植設するかつらのベースにおいて、頭部に密接させる帽子状であって、夫々の底辺が連なって、該表面を取り巻くように線を並列して形成し、並列する線の互に隣り合う線の一方の線上に底辺を置いて構成するほぼ２等辺三角形の２等辺側の頂点は他方の線上と一致するように、２等辺側の頂点が互にくい違い反対方向を向くように配列したほぼ合同となるほぼ２等辺三角形の単位区画群を配置した図形を有することを特徴とするベースである。
【００１４】
本出願に係る第３の発明はかつらのベース上に植設する毛束において、２等辺三角形の薄片の基部と、基部に植毛した毛と、を有し、頭部に密接させる帽子状であって、表面に夫々の底辺が連なって、該表面を取り巻くように線を並列して形成し、並列する線の互に隣り合う線の一方の線上に底辺を置いて構成するほぼ２等辺三角形の２等辺側の頂点は他方の線上と一致するように、２等辺側の頂点が互にくい違い反対方向を向くように配列したほぼ合同となるほぼ２等辺三角形の単位区画群を配置した図形を設けたベースの単位区画に基部を一致させて基部をベースに固定することを特徴とする毛束である。
【００１５】
本出願に係る第４の発明はほぼ２等辺三角形はほぼ正三角形であって基部に２等辺側頂点として用いる頂点を示す表示がされていることを特徴とする第３の発明に記載の毛束である。
【発明の効果】
【００１６】
本出願に係る第１の発明はベース上の１区画がほぼ２等辺三角形でこの三角形は多数がほぼ合同である。そして、隣り合って並列する線間の単位区画のほぼ２等辺となる２辺の交点は隣接する区画では互いにくい違い反対方向を向いている。従って、同じ形状の束の毛であったとしても、毛束の基部の２等辺の交点となる頂部のある側をくい違って反対方向とできる。従って、毛束が一カーブのカール状である場合に、この毛束の基部をベース上の隣接する区画に夫々植設すると、毛先は互いに反対方向を向く。また、毛束を選択的に単位区画に植設すると、毛束の根本側に空隙を生じさせ、軽やかなスタイルとできる。
【００１７】
人毛の場合は毛束を引き上げて先をカットして揃えるので細かい範囲の毛束を夫々異なる方向とすることはできないが本発明によれば人毛と同様なヘアスタイルも可能であると共に人毛を越えるヘアスタイルのかつらを得ることができる。
【００１８】
本出願に係る第２の発明によれば、かつらのベースに並列する線間に隣接する多数のほぼ２等辺三角形が２等辺を共通とし各頂点を上記並列する線と一致させて配列したほぼ合同となる図形を単位区画として多数有するため、毛束を設ける際に例えばほぼ２等辺三角形の単位区画に夫々異なる符号を付しておけば容易に毛束を植える場所が見付けられ、且つ、隣接する単位区画に設ける毛束のカールの向きをくい違い反対方向にできる。
【００１９】
本出願に係る第３の発明によれば、毛束の基部が２等辺三角形であるので、容易に毛束の向きが分る。
【００２０】
本出願に係る第４の発明によれば、基部が正三角形であっても向きが示されているので容易に毛束の向きが分る。
【発明を実施するための最良の形態】
【００２１】
図を参照して本発明の最良の実施の形態について説明する。
【００２２】
図１に示すようにベース１上に図５に示す毛束４を植設して製作されるかつらＡ(図１０参照)において、ベース１は頭部に密接される帽子状であって表面に並列して線ａｂ，ｃｄ，ｅｆ，・・・を設ける。そして、その表面上の線ａｂ，ｃｄ，ｅｆ，・・・に底辺を置いて、ほぼ合同となる２等辺三角形の単位区画３ｉ−ｊ（ｉ＝１，２，３・・・ｍ、ｊ＝１，２，３・・・ｎ）が設けられている。各単位区画３ｉ−ｊはほぼ２等辺が交叉する頂点（２等辺側頂点という）のある側の向きを反対の向きとし夫々のほぼ２等辺の辺と辺、を共通にして一致させる。そして、２等辺側頂点を線ａｂ，ｃｄ，ｅｆ，・・・に一致させる。即ち、単位区画３ｉ−ｊは隣接する線、例えば線ａｂと線ｃｄの一方に底辺を置き他方に２等辺側頂点を一致させて隣接してベース１上に配置されている。
【００２３】
図１の例では線ａｂとｃｄ間に設ける、例えば単位区画３１−１０のほぼ２等辺三角形の線ｃｄ上に置かれる底辺ハニの両端には、単位区画３１−９の２等辺側頂点ハ、単位区画３１−１１の２等辺側頂点ニが夫々来る。線ｃｄとｅｆ間に設ける単位区画３２−１０のほぼ２等辺三角形の底辺は線ｃｄ上にあり、単位区画３１−１０のほぼ２等辺三角形の底辺ハニと一致する。ただし、ほぼ２等辺三角形の底辺は線ａｂ，ｃｄ，ｅｆ，・・・の内の一つの線上に必ずあるが一つの線の両側にあるほぼ２等辺三角形の底辺を一致させることに限定されるものではない（後述の実施例２参照）。
【００２４】
図５に示すように毛束４はベース１に設けた各単位区画３ｉ−ｊのほぼ２等辺三角形とほぼ等しい２等辺三角形の基部５に毛６を植設してある。
各毛束４はその基部５を選択的にベース１の単位区画３ｉ−ｊ、に一致させて固定される。
【００２５】
上記において、毛束４の基部５を選択的にベース１の区画３ｉ−ｊに一致させて固定するとは（１）単位区画３ｉ−ｊ全部の夫々に一律に毛束４の基部５を植設する場合、（２）単位区画３ｉ−ｊの一つ置きの単位区画３ｉ−ｊ（ｊ＝１，３，５，・・・）に毛束４の基部５を植設し、他の単位区画３ｉ−ｊ（ｊ＝２，４，６，・・・８）は毛束を植設しない空地（地肌相当）とする場合、（３）不規則ではあっても全体としては頭部でほぼ均等となるような部分的な毛束４群の分布となるようにベース１の単位区画３ｉ−ｊに毛束４の基部５を植設し、残りの単位区画３ｉ−ｊには毛束４は取り付けない、等を指す。
【００２６】
また、上記ベース１上に一様に上記（１），（２），（３）の何れかを全部設ける場合、ベース１上に区域を設けて各区域に（１），（２），（３）を選択的に設ける場合。或はベース１上の各区域における単位区画を、或る第１の区域内ではほぼ合同となるほぼ２等辺三角形の単位区画とし、他の、第２の区域内では第１区域内の２等辺三角形とは異なる大きさ又は形状もしくは大きさ形状共に異なるほぼ２等辺三角形の単位区画とし、同様に第３以下の区域内を更に異なるほぼ２等辺三角形の単位区画で構成してもよい。
【００２７】
上述したように毛束４は基部５がほぼ２等辺三角形であるため、基部５のほぼ２等辺同志が交わる頂点により容易に向きが分る。従って、基部に植毛された毛がカールしているような場合のカールの方向を基部に対して一定方向とするのが容易である。
【実施例】
【００２８】
（実施例１）
以下、本発明の実施例を図面に従って説明する。
【００２９】
以下の説明において毛とは人毛又は人工毛を指す。
【００３０】
以下の説明で２等辺が厳密に等しい場合だけでなく、ほぼ２等辺が等しいほぼ２等辺三角形も含めて２等辺三角形と称す。
【００３１】
図１から図４は人の頭部に密接してかつらのベース１をかぶせた図を示し、図１は側頭部を示す左側面図、図２は後頭部を示す背面図、図３は前頭部を示す正面図、図４はかつらベースをその斜め前上方から見る斜視図である。右側面図は図１と同様で左右の向きが図１とは逆方向である。
【００３２】
ここでベース１が頭部に密接するとは、個々の人によって毛髪の生え方は違っており毛髪を介して頭の地肌に接近していることをいう。又は、毛髪が極めて短い場合に頭部の地肌にベース１が接触していることをいう。
【００３３】
以下の説明において三角形というのは人の頭部に密接した状態におけるベース１上に画かれる三角形のことである。人の頭部は内部側より全体として見ると曲率が正である一曲面と見なせる。この曲率は頭部の各位置によって異なっている。従って頭部に密接するベース１も曲率が正である一曲面とすることに困難性はない。
【００３４】
ここで、上記ベース１上に画かれる三角形とは三角形の辺はベース１の曲面に沿って三角形の頂点を結ぶ最短距離となる曲線である。しかし、上記三角形は頭部にほぼ倣ったベース１上に後述するように多数設けて、三角形は小さい単位区画とされているので、三角形の各辺を直線と見なせる。
【００３５】
このように三角形の各辺を直線と見なしても、ベース１の材料が天然せんい、合成せんい、化学せんい等の何れか又はこれらを混紡した布であるからその可撓性により、毛束４の基部５をベース１に固定するのに不都合が生じることはない。また、基部５も後述のように可撓性のシートを用いた場合は一層不都合はない。
【００３６】
図１から図４に示すように図２に一部毛束を植設した場合を除いてベース１には毛束は植設していないが、ベース１を説明するためにベース１のみを頭にかぶせた状態を示している。
【００３７】
図１に示すようにその中に他の図形を含まない単位の２等辺三角形の２等辺（正三角形を含む、以下、同じ）の交わる頂点が上又は下方を向いて単位区画３ｉ−ｊ（ｉ＝１，２，３・・・ｍ、ｊ＝１，２，３・・・ｎ）が設けられている。ここでｊは図１に示すように前頭側から横方向に単位区画３を数える順序数である。また、ｉはつむじ８を除く頭頂側から縦方向に単位区画３を数える順序数である。
【００３８】
即ち、ほぼ平行に並列する線ａｂ，ｃｄ（ベース１の頭部を囲綾している図１の裏側を含む。以下、同じ）間がｉ＝１で３ｉ＝１−ｊ、同じく線ｃｄ，ｅｆ間が３ｉ＝２−ｊ等である。そして、線ａｂとｃｄ間、線ｃｄとｅｆ間にあって図において同一位置にある単位区画（ｊ＝１，２，３，・・・ｎ）としてある。即ち、ｘｙ座標に単位区画を設けてある。
【００３９】
この単位区画３ｉ−ｊはつむじ８を除いてベース１上に画かれている。図１に示すように各単位区画３ｉ−ｊの２等辺三角形のベース１の表面に沿う高さＨはほぼ等しい。今、このＨの高さは後頭部、前頭部、側頭部において等しくするものとするとして考える。このとき、ベース１を上下方向の何れかの場所、例えば、図１の線ａｂ，ｃｄ，ｅｆ・・・の何れかは横方向からの投影では水平方向の直線とする。すると、水平とされた線以外は横方向から見て直線に近いが曲線（折線状）となる。なんとなれば、高さＨをベース１の周方向（横方向）の夫々の位置で等しいとしても夫々の位置でベース１は曲率が異なるからである。
【００４０】
線ａｂ，ｃｄ，ｅｆ・・・の夫々を切り取って単位区画の２等辺三角形の２等辺でない第３の辺（ここでは底辺と称す）を隙間なく並べる。図３において単位区画３１−１を  前頭部の中央の単位区画とすると、例えば、図１に示すように線ａｂに沿って単位区画３１−１，３１−３，３１−５，・・・３１−１７，・・・（ｊ＝奇数）の底辺が連続する。ここで、単位区画３ｉ−ｊのｉ−ｊを数値で表わす場合は、下付の数字で表示してある(以下、同じ)。そして夫々の単位区画３１−１，３１−３，３１−５，・・・３１−１７，・・・をなす２等辺三角形の底辺の両端から２等辺を立ち上げて２等辺三角形の頂点を線ｃｄ上に置く。例えば単位区画３１−９では底辺イロ、２等辺イハ，ロハとなる。頂点ハは線ｃｄ上にある。
【００４１】
このように単位区画３１−１，３１−３，３１−５，・・・３１−１７，・・・を設けるとこれら単位区画の夫々の横方向に隣接して整列する単位区画３１−２，３１−４，３１−６・・・（ｊ＝偶数）が自動的に作成される。
【００４２】
線ａｂ上に底辺を置く２等辺三角形の底辺を夫々等しく置いたとしても、横方向から見て線ａｂ，ｃｄ，ｅｆ，・・・も夫々平行にした場合はベース１が場所によって曲率が異なるので高さＨは線ａｂ，ｃｄ，ｅｆ，・・・の線間の横方向の位置によっては等しくないので、単位区画３１−２，３１−４，３１−６，・・・の２等辺三角形の２等辺は近似的である。例えば、三角形ロハニは単位区画３１−１０のものである。処が、２等辺ロハ，ロニは長さが等しくはないがその差は微小である。ここで、単位区画３１−９の底辺イロと、単位区画３１−１０の底辺ハニの長さが等しくはないがほぼ等しい。
【００４３】
上述と同様にして単位区画３２−ｊ，３３−ｊ，３４−ｊ・・・として単位区画を構成してつむじ８を除く部分に多数のほぼ合同な２等辺三角形群が画かれる。
【００４４】
上記はベース１上に画かれる単位三角形の集合についてのべた。この単位三角形の各辺を表現する線は、ベース１の全体の布地と異なる色の糸の織り込み、印刷、転写等、特に制限はない。
【００４５】
上述では線ａｂ，ｃｄ，ｅｆ，ｇｈ，・・・を水平な位置にあり、横方向から見てほぼ直線となるとしたが、例えば、線ａｂ上の点ロと後頭部の首の上の点ホを結ぶ線を直線ロホとし、直線ロホにほぼ平行な線群を並列しても上記線ａｂ，ｃｄ，ｅｆ，ｇｈ，・・・に底辺を置く単位区画とは２等辺側頂点の向きその他若干異なるが同様な単位区画の集合が出来上がる。
【００４６】
線ａｂ，ｃｄ，ｅｆ，ｇｈ，・・・を横方向から見てほぼ水平な直線とした場合、これと交叉して、単位区画の２等辺三角形の辺を直線状に結ぶ線、例えば線ａｂ上の点ロと後頭部下方の点ホを結ぶ線ロホは直線状ではあっても横方向から見て幾何学的な直線とはならない。というのは、夫々の単位区画の２等辺三角形を設ける位置によってベース１の曲率が異なるため、各単位区画の２等辺は夫々微小に長さが異なるものがある。また、各単位区画の２等辺三角形の底辺は夫々わずかに長さが異なるものがある。
【００４７】
上述では単位区画の形成方法の１つとして線ａｂを等分割した底辺上に２等辺を立てて単位区画となる２等辺三角形を構成して行く方法をのべた。
【００４８】
他の方法としては、点ａから線ｃｄ上に達する辺Ｌ１を画き、辺Ｌ１の線ｃｄとの交点スから辺Ｌ１と等しい長さの辺Ｌ２を設ける。この辺Ｌ２が線ａｂと交わる点セから辺Ｌ２（＝Ｌ１）と等しい長さの辺Ｌ３を設け、辺Ｌ３と線ｃｄとの交点モから辺Ｌ３（＝Ｌ１＝Ｌ２）と等しい長さの辺Ｌ４を設け、辺Ｌ４と線ａｂとの交点ヒから以下、同様にして図１には符号を付していない辺Ｌ５，Ｌ６，・・・を設ける。
【００４９】
このようにすると、ベース１を横方向に取り巻く線ａｂ，線ｃｄ間に配列される各単位区画３ｉ−ｊにおける夫々２等辺は各２等辺三角形を通じて等しくなるが、底辺は一定しない。しかし、底辺の長さの差は小さい。なんとなれば、線ａｂと線ｃｄは横方向から見てほぼ平行であり、線ａｂ，ｃｄのある部分のベース１の曲率の差は小さいからである。
【００５０】
上述において、つむじ８とベース１の境となる線ａｂを除く、ベース１内の線ｃｄ，ｅｆ，ｇｈ・・・上の１点、例えば点ハには２等辺三角形の頂点が集まっている。即ち、単位区画３１−８，３１−９，３１−１０，３２−８，３２−９，３２−１０を構成する２等辺三角形の頂点が点ハに集まる。この内単位区画３１−９，３２−９の２等辺三角形はこれらの２等辺の交わる頂点（２等辺側頂点）が点ハと一致する。単位区画３１−８，３２−８及び３１−１０，３２−１０は夫々の底辺と２等辺の内の１辺との交点（底辺側頂点）が点ハと一致する。
【００５１】
上述したようにして構成した単位区画の２等辺三角形は夫々が互にほぼ合同である。
【００５２】
単位区画の２等辺三角形の作成方法は上記に限られないが、ベース１を取り巻くほぼ平行する線の１つの線上に底辺を連続して底辺側頂点が一致するように置いた２等辺三角形の２等辺側頂点が、上記底辺を置いた線とは隣り合い、且つほぼ平行な線上にあればよい。
【００５３】
即ち、図１では例えば点ハと点ニを結ぶ線が単位区画３１−１０と３２−１０の底辺で且つこれら単位区画３１−１０，３２−１０は底辺が一致している。
【００５４】
上述において、望ましい実施例としては２等辺三角形の高さＨを単位区画が正三角形となるものと２等辺三角形となるものに分けて、２等辺三角形群と正三角形群を形成する。例えば、図１において線ｉｊよりも上側を２等辺三角形の単位区画とし、下側を夫々がほぼ合同の正三角形の２等辺三角形とする。線ｉｊよりも上側の２等辺三角形では底辺よりも２等辺の長さを大きくして夫々がほぼ合同の２等辺三角形とする。ただし、２等辺三角形の底辺を２等辺よりも大きくしても本実施例は成立つものである。
【００５５】
かかるベース１には単位区画３ｉ−ｊの夫々には、夫々符号が打たれる。この符号は例えば、３１−１を１番として単位区画３１−１から始めて３１−ｅ（ｅは３１−ｊのｊの最終の番号を表わす）、単位区画３１−ｊ〜３２−ｅ・・・に連続して順序数１，２，３・・・ｎを付してもよく、又は、同様に、単位区画３の添符号ｉ−ｊ（ｉ＝１，２，３・・・ｍ、ｊ＝１，２，３・・・ｎ）を夫々の単位区画上に表示してもよい。この実施例ではＸＹ座標と同様の符号を用いた即ｘ＝ｉ，ｙ＝ｊである。即ち、底辺又は２等辺側頂点を共通にして縦方向につらなる単位区画は３ｉ−ｊ（一定）である。
【００５６】
なお、実施例は添符号ｉが奇数の２等辺側頂点が上向きの単位区画の添付号ｊを偶数番号とし、添符号ｉが偶数の２等辺側頂点が下向きの単位区画の添付号ｊを奇数番号となる。
【００５７】
（毛束）
単位区画をなぜ２等辺三角形とするかということについて説明する。図５（ａ），（ｂ）は毛束４を示す。毛束４は基部５に毛６を植毛したものである。
【００５８】
ここで、基部５を単位区画３ｉ−ｊに合せるようにベース１に固定(植設)されるものである。そこで、基部５は接着剤によりベース１に接着されるシート材料であればよい。基部５は例えば、天然せんいを織った布、合成せんいの布、化学せんいの布等である。なお、基部５をベース１に縫いつけて毛束４をベース１に固定してもよい。基部５の大きさとしては底辺が５〜３５ｍｍ位である。
【００５９】
ここで、基部５はベース１に設ける単位区画３ｉ−ｊの２等辺三角形にほぼ一致する２等辺三角形である。ただし、ベース１に設ける単位区画３ｉ−ｊの２等辺三角形内に納まり、且つ単位区画にならって近接しているのが望ましい。基部５の２等辺側頂点５ａには例えば識別のために着色を行なう。又は２等辺側頂点５ａをわずかに切って梯形状としてもよい。ただし、底辺５ｂと２等辺５ｃの長さが異なって頂点５ａの識別が容易であれば、頂点５ａを識別するための表示はなくてもよい。
【００６０】
毛６は人毛又は合成せんいもしくは人毛と合成せんいを混合したものである。毛６は三角形の基部５に植毛する。この植毛は例えば基部５に又は及び毛６の根本に接着剤を付けて基部５に固定するものである。または、基部５に毛の根本を縫い込む。毛６は基部５に植毛した側から先端に向って直線状・カール状等を用意する。
【００６１】
図５（ａ），（ｂ）は毛束４の斜視図である。図５（ａ）は基部５の２等辺側頂点５ａを上向きにしてベース１の２等辺側頂点５ａが上向きの単位区画に固定するものである。図５(ｂ)は２等辺側頂点５ａを下向きにしてベース１の２等辺側頂点が一向きの単位区画に固定するものである。
【００６２】
図５（ａ）（ｂ）共に同じ毛束４とした場合には２等辺側頂点５ａの向きを逆に変えることができる。こうすることによって、毛６のカール方向が変わるから、かつらとして全体構成されたときに違なる質感が得られる。なお、基部５が正三角形の場合も２等辺三角形の一種であるから図５（ａ）(ｂ)と同様に２等辺側頂点５ａの向きを上下逆に変えることができ、同効を奏する。なお、正三角形の基部５では必ず２等辺側頂点を着色したり、切り欠いたりして、基部５のベース１への植設の向きを分り易くしておく。
【００６３】
毛束４の基部５が底辺５ｂよりも２等辺が長い２等辺三角形に対して、正三角形の一辺は該２等辺三角形の底辺５ｂと等しいとしておく。すると、基部５が２等辺三角形の毛束４と、基部５が正三角形の毛束４は底辺側を互に一致して沿わせ組合わせて毛束４のバリエーションが広がる。
【００６４】
図８(ａ)(ｂ)(ｃ)は基部５の平面図であって、図示のように大中小の基部５を設けた場合である。こうすることにより、よりバリエーションをますことができる。
【００６５】
図９(ａ)(ｂ)(ｃ)は夫々が毛束４の組合せをする場合の平面図であって、基部５の組合せによるパターンを示す。図９(ａ)は正三角形の基部５Ｂを上側にしてこの基部５Ｂの底辺５ｂに２等辺三角形の基部５Ａの夫々の底辺５ｂ側を一致させるようにして、この底辺５ｂをベース１上の線ｃｄ，ｅｆ，ｇｈ，・・・に合せ、ベース１の単位区画３ｉ−ｊと３(ｉ＋１)−ｊに毛束４を貼り付ける場合である。図９(ｂ)は同様に底辺５ｂ側を一致させて同じ２等辺三角形の基部５Ａをベース１に貼り付ける場合である(既述)。図９(ｃ)は正三角形の基部５Ｂと２等辺三角形の基部５Ａとは上下を図９(ａ)とは逆にしたものである。
【００６６】
上述のように単位区画の２等辺三角形の底辺の長さよりも２等辺の長さを大きくしておくことにより、２等辺三角形の単位区画に正三角形の基部５を有する毛束４は何れの単位区画に植設することができる。
【００６７】
毛束５の毛６はベース４から次第に予めカールさせて各種の方向を向かせることができる。このカールはアイロンによるセットで行なうことができる。
【００６８】
例えば図５(ａ)(ｂ)のように２等辺側頂点５ａ側から底辺５ｂとは反対側へ毛６を湾曲させると、底辺５ｂを上側にして頂点５ａを下向きにベース１に植設する場合と、底辺５ｂを下側にして頂点５ａを上向きにベース１に植設する場合とでは、ベース１に毛束４を植設した場合には底辺５ｂはベース１の線ａｂ，ｃｄ，ｅｆ・・・、の何れかに沿って配設されるので、毛６の先は互に反対側へカールして突出する。従って、毛先６ａの向きが上下方向互に反対方向を向く。
【００６９】
頂点５ａと底辺５ｂの中央を結ぶ線に対してベース１から左右に毛６をカールさせた毛束４をベース１に同様に植設すると、ベース１上で毛先６ａは左右へカールする。
【００７０】
図８(ａ)(ｂ)(ｃ)は毛束の基部を有する平面図である。図８（ｃ）に示す基部５を前述の実施例における単位区画３ｉ−ｊと一致するようにすると、図８（ｃ）の基部５よりもやや小さい基部５（図８（ａ））、更に小さい基部５（図８（ｂ））を持つ毛束４はこれらの区画３ｉ−ｊの何れにも植設可能である。従ってベース１が異なる大きさの毛束４を準備してベース１へ毛束４を植設することにより、かつらの毛量に変化を与えることができる。
【００７１】
なお、ベース１の線ａｂ，ｃｄ，ｅｆ，・・・の線間の間隔を図８(ａ)(ｂ)(ｃ)のベース５の高さに併せて、これらの間隔が一部又は上下方向の範囲を決めて、異なるベース１を作成してもよい。この点は後述の実施例２にも適用できる。
【００７２】
(毛束のベースへの配列)
毛束４をベース１へ配列するには種々の方法がある。第１はベース１の総ての単位区画３ｉ−ｊに夫々毛束４を植設する。このようにした場合にはかつらとした場合に毛が密に均一に分布され、かつらでない通常の人の頭のようになる。
【００７３】
第２はベース１へ毛束４を間隔をおいて植設する。
【００７４】
図２はベース１の背面図であって、後頭部を示す。ここで、線ａｂ，ｃｄとは図１と併せて示すようにベース１を横方向に取り巻いている無端の線を表示している(図１も同様)。線ｅｆ，ｇｈ，・・・は夫々が図１に示すベース１の縁１ａに両端があり、ベース１を横方向に取り巻いている。これらの線ａｂ，ｃｄ，ｅｆ，ｇｈ，・・・はほぼ平行に並列している。
【００７５】
図２に断面を表わす斜線(断面ではない)にのみ毛束４を植設する。即ち、単位区画３５−ｊ(ｊ＝１４，１６，１８，・・・)等の２等辺側頂点が上向きの２等辺三角形には毛束４を植設し、単位区画３５−（ｊ−１）（(ｊ−１)＝１３，１５，１７，・・・)には毛束４を植設しない。
【００７６】
そして、単位区画３６−ｊには上述した単位区画３５−ｊの底辺と底辺が一致する単位区画３６−ｊ(ｊ＝１４，１６，１８，・・・)には毛束４を植設し、単位区画３６−(ｊ−１) (（ｊ−１）＝１３，１５，１７，・・・)には毛束４を植設しない。
【００７７】
ここで上下の毛束４を有り、無しを交互にするのは図２に図示されている。図２に示すように、単位区画３６−ｊ，３７−ｊ，３８−ｊ（ｊ＝１４，１５，１６，・・・）では線ｋｌ（エル）、線ｍｎ夫々を間にして上下の単位区画では毛束４を交互に植え、残る単位区画には毛束４を植えないでおく。
【００７８】
従って、基部５に植込む毛量は一定の量でよい。なんとなれば、上述のように交互に間隔をおいて毛束を植設することによりかつらとした場合に毛量は自在に出せるからである。
【００７９】
即ち、毛束有り(植える)、毛束無しを横方向に交互にする。このようにすることにより毛束感を出すことができる。同様に上下の単位区画３７−ｊ，３８−ｊにも毛束４も有り、無しに選択的に植設することができる。こうすることによって今まで出せなかった軽さと質感が出せる。
【００８０】
毛６の硬さは、毛束４に毛６が硬い、ふつう、軟らかいと３種類位あるとよりバリエーションが広がる。ベース１に植設する毛束４の毛６も、単位区画に交互に硬さの異なる毛６を有する毛束４を植設することだけで違った質感が得られる。
【００８１】
なお、ここで毛６の硬さは感覚的なものであり、物理的に計量可能なことを指してはいない。
【００８２】
立ち上がりをつけたい時、又は頭の上の方の地肌の見えやすい処は、毛束無しの単位区画に短い毛束４（たとえば通常の毛束４の長さが３０ｃｍとしたら４〜５ｃｍ位）を使用し図６に示すように立体感や自然さを出すことも可能である。
【００８３】
頭の上の方は２等辺三角形の毛束４の密な組合せのように毛の間にすきまのない自然な感じが作れる。
【００８４】
頭の上の方はボリュームをなくしたり、なじませたいときは軟らかいかみ質を使えば十分である。
【００８５】
図２に例示したように一つとびの単位区画に毛束４を植込む方法以外に、ベース１の全ての単位区画に毛束４を植込み、図６のかつらの側面図に示すような毛６長さが長い毛６Ｌ、長さが短い毛６Ｓと長短の組合せでスタイルを作ることも可能である。
【００８６】
通常、ヘアカットというものは長さを揃えるベースカットを行う。このベースカットによれば初めにどこの毛束をくしで持ち上げても（全ての毛を地肌に対して垂直に持ち上げた時）髪の先端はどこをとっても揃っている。この状態から、まびいて、すいて、シャギースタイルを作り、更に、揃った毛先もギザギザにして毛束感を作る。しかし、ベースに毛束が一様に揃って設けてあるために、マンガのようなより自由な毛先の動きが出せなかったのである。
【００８７】
しかし、上述のように本実施例によれば、全てのカットスタイルの基礎となっていた、ベースカットをうち崩した、人間の手で行うカットでは出来ない毛先の動きが可能である。
【００８８】
次に具体的な例をあげて説明する。
【００８９】
毛先の動き(毛先を持って行く先を選択すること)を豊かにして完成したかつらＡを装着した人の斜視図を図１０に示す。図１０に示すように毛束４ａ−１，４ａ−２はほぼ同一位置の隣接又は１つおいて隣接した単位区画に植設されているが毛はほぼ互に反対向きにカールしていて毛先６ａ−１，６ａ−２は離れている。このように、本発明によれば、同じカールをした毛束であっても２等辺側頂点５ａの向きを変えることにより、毛先６ａの向きを多様に変えることができる。これによって、１本々々の毛束４の動きにより立体感が自然毛による人間のヘアスタイル以上のものが出来上がる。
【００９０】
この場合に予め、長又は短の長さの毛６を基部５に植えた毛束４を用いてもよい。また、図７(ａ)に示すように長毛の毛６を基部５に植えた毛束４のみを準備しておいて、必要により、毛６をカット（符号７のように切る）して図７（ｂ）に示す短毛の毛束４を作成してもよい。図７（ｃ）はロングヘア用で図７（ａ）の先のみをカットしてある。
【００９１】
本実施例では１例として示した図１０に示すように、毛のカール方向、毛の長短を自在に選択して創像美に富むかつらを提供できる。
【００９２】
実施例はつむじ８に設ける毛についてはのべていないが、つむじ８は自然毛を用いてもよく、また、通常の公知のかつらを用いてもよいし、もちろん、実施例と同様の毛束４を用いてもよい。この場合、つむじ８には図４に示すように、つむじ８の頂部Ｏ（オー）線ａｂ上の点ａ、点へを頂点とするほぼ２等辺三角形と同様の単位区画３0−ｊ（ｊ＝１，２，３・・・）をベース１上に設け、この単位区画３0−ｊにほぼ一致する基部５を有する毛束４を植設してもよい。
【００９３】
このとき、単位区画３０−ｊの２等辺三角形の高さＨが大きすぎないようにベース１をほぼ水平に囲繞する線ａｂから上方に既にのべた線ａｂとｃｄ間、ｃｄとｅｆ間、・・・の上下方向のベース１の表面に沿う高さＨと等しい高さで該線ａｂに平行に設けた線と、線ａｂ間に単位区画を設けてもよい。即ち、単位区画３０−ｊ、３−１−ｊ、・・・等を設けてもよい。
【００９４】
このように、実施例によれば、毛束４の長さを種々作っておいて、ベース１に例えば、粘着剤でもって基部５を取り外し可能に取り付けてシュミレーションを行なうことができる。
【００９５】
実施例は全頭かつらについてのべたが部分かつらに適用されることはいうまでもない。
【００９６】
（実施例２）
図１１は実施例２を示す。ベース１上にほぼ平行して線ａｂ，ｃｄ，ｅｆ，・・・が平行にベース囲繞するように画かれている。ただし、線ｅｆ，ｇｈ，ｉｊ，・・・は縁１ａで終っている。隣り合う線ａｂとｃｄ、ｃｄとｅｆ，・・・間のベース１の表面を上下に沿って計られる高さＨが等しい。
【００９７】
上述の線ａｂ，ｃｄ，ｅｆ，・・・の設け方は実施例１と同様である。また、線ａｂとｃｄ間に設ける単位区画３１−ｊ（ｊ＝１，２，３，・・・ｎ）は実施例１と同様に設ける。即ち、線ａｂを等しい長さの底辺で分割し、この底辺の両端から立てた２等辺を持つ２等辺三角形の２等辺側頂点を線ｃｄ上に置く。すると、底辺が線ａｂ上と、線ｃｄ上にある２等辺三角形３１−ｊが交互に続く。又は、線ａｂ，ｃｄ上に２等辺三角形の２等辺の長さの両端を順次置いていって、単位区画３１−ｊ（ｊ＝１，２，３，・・・ｎ）を設ける。
【００９８】
上述した線ａｂ，ｃｄ間に設ける単位区画３１−ｊの設け方は実施例１と同様である。
【００９９】
線ｃｄとｅｆ間に設ける単位区画３２−ｊの設け方は上述した線ａｂ，ｃｄ間に設ける単位区画３１−ｊと同様に設ける。そうすると、例えば、単位区画３１−１１の２等辺三角形の２等辺側頂点ハには必ずしも実施例１のように６つの単位区画の頂点が集まらない。
実施例２ではこのように、線ａｂとｃｄ、ｃｄとｅｆ、ｅｆとｇｈ，・・・間に設ける単位区画３ｉ−ｊ群は、夫々別途に設ける。
【０１００】
このようにすることにより，上下方向の異なる線間にある単位区画は実施例１の場合よりも各２等辺三角形の図形の合同の程度がよくなる。次にこれを１例として説明する。
【０１０１】
今、線ａｂ上に一定の長さの底辺を置き夫々の底辺を持つ、２等辺三角形の頂点が線ｃｄ上にあるように単位区画３１−ｊ（ｊ＝３，５，７，・・・）を設けるとすると、底辺が線ｃｄ上にある単位区画３１−ｊ（ｊ＝２，４，６，・・・）の２等辺三角形の該底辺は夫々は長さが必ずしも等しくない。従って、実施例１ようにすると、線ｃｄ及びｅｆ上に底辺を置く２等辺三角形の単位区画３２−ｊもそれらの底辺は等しくならない。
【０１０２】
実施例２では線ｃｄ上に底辺を置く単位区画３２−ｊの該底辺は等しい長さとする。底辺の始まる位置（ｊ＝１）も点チに示すようにする。すると、２等辺側頂点及び底辺側頂点共、線ｃｄ，ｅｆ間に設ける単位区画３２−ｊの２等辺三角形の線ｃｄ上にくる頂点と、線ａｂ，ｃｄ間に設ける単位区画３１−ｊの２等辺三角形の線ｃｄ上にくる頂点とは一般に一致しない。以下、同様である。
【０１０３】
上述の線ａｂ間とｃｄ間の単位区画の２等辺三角形の線ｃｄ上にくる各頂点と、線ｃｄ間とｅｆ間の単位区画の２等辺三角形の線ｃｄ上にくる各頂点が一般的に一致しない点は、他の線ｃｄとｅｆ間とｅｆとｇｈ間に設ける単位区画３２−ｊ，３３−ｊの２等辺三角形の各頂点が線ｅｆ上においても同様に一致しない。
【０１０４】
このように線ａｂとｃｄ，ｃｄとｅｆ，ｅｆとｇｈ，・・・間に夫々関連づけないで単位区画３ｉ−ｊを設けることによって、各単位区画のほぼ合同となる近似の程度が増す効果がある。
【０１０５】
本例での単位区画３ｉ−ｊにおいて横座標となるｊの付し方は、図１１に示すように単位区画３１−ｊにおいては前頂部の中央をｊ＝１として始まるが、単位区画３２−ｊにおいては縁１ａに接する単位区画の横座標とするのがよい。即ち、単位区画３２−１として図１１において右方へ順次３２−１，３２−２，３２−３・・・と付すのが単位区画のベース１上の位置を見出すのに都合がよい。単位区画３３−ｊ，３４−ｊ，３５−ｊ，・・・においてもｊ＝１は縁１ａに接する単位区画から始まる。
【０１０６】
（実施例３）
実施例１、実施例２ではベース１を囲繞する線ａｂをほぼ水平な線としてある。実施例３では線ａｂ上にｐｑのような曲線の縁を設けてつむじ８の線をｑｐ，ｐｂの線のようにする。そして、前頭部の上部に縁ａｐ，ｐｑ，ｑａで囲まれた範囲（図１１の左頭部に対して見えない右頭部も同様）において、線ａｂにほぼ平行にベース１の表面に沿って離れた線ｒｓを設け、線ａｂとｒｓ間に単位区画を設ける。この単位区画の設け方は、既に説明した実施例２における設け方と同様であって、単位区画３１−ｊ（ｊ＝１，３，５，・・・）の２等辺三角形の底辺と一致しない。
【産業上の利用可能性】
【０１０７】
このようなかつらの実施形態を採用したので、かつらのベースの単位区画の位置が一見して分り、選択的に２等辺三角形の基部を持つ毛束を、ベースに植設することにより、多様な鬘形を得ることができる。
【図面の簡単な説明】
【０１０８】
【図１】実施例１のかつらベースの左面図である。
【図２】実施例１の一部に植毛したかつらベースの背面図である。
【図３】実施例１のかつらベースの正面図である。
【図４】実施例１のかつらベースの斜め前上方から見る斜視図である。
【図５】（ａ）（ｂ）は夫々が毛束の斜視図である。
【図６】長毛と短毛の組合せを示すかつらの側面図である。
【図７】（ａ）（ｂ）（ｃ）は短毛と長毛の作成方法を示し、（ａ）は素材、（ｂ）は短毛、（ｃ）は長毛の夫々の斜視図である。
【図８】（ａ）（ｂ）（ｃ）は夫々が毛束の基部を示す平面図である。
【図９】（ａ）（ｂ）（ｃ）は夫々が毛束の組合せをする場合の基部の結合様式を示す平面図である。
【図１０】実施例のかつらの外観斜視図である。
【図１１】実施例２及び３のかつらベースの左側面図である。
【符号の説明】
【０１０９】
Ａ…かつら  ａｂ，ｃｄ，ｅｆ…線  ｋｌ（エル），ｍｎ…線  Ｏ…頂点
１…ベース  １ａ…縁
３ｉ−ｊ（ｉ＝１，２，３・・・ｍ、ｊ＝１，２，３・・・ｎ）…単位区画
４，４ａ−１，４ａ−２…毛束
５，５Ａ，５Ｂ…基部  ５ａ…２等辺側頂点  ５ｂ…底辺  ５ｃ…２等辺
６…毛  ６ａ，６ａ−１，６ａ−２…毛先  ６Ｌ…長い毛  ６Ｓ…短い毛
８…つむじ
【図１】
2006265741.tif 000003
【図２】
2006265741.tif 000004
【図３】
2006265741.tif 000005
【図４】
2006265741.tif 000006
【図５】
2006265741.tif 000007
【図６】
2006265741.tif 000008
【図７】
2006265741.tif 000009
【図８】
2006265741.tif 000010
【図９】
2006265741.tif 000011
【図１０】
2006265741.tif 000012
【図１１】
2006265741.tif 000013